(57)【要約】【課題】開封性のよいサンドイッチ等の食品包装材を提供する。【解決手段】  裏シート２の内面には、破断用の内シートＳが重ね合わされ、該内シートＳと表シート１と裏シート２は、上辺部３の下方の位置に左右方向に設定される中間シール部８でヒートシールされると共に、裏シート２を内シートＳと共に上下方向に切り裂くための起点となる開封端７が、中間シール部８と上辺部３の間に略逆Ｕ字状に切り込み形成され、かつ、開封端７の両下端に対応する上開き状のノッチＮ，Ｎが内シートＳの中間シール部８以上の部位に切り込み形成される。【選択図】  図４
2008100716.tif 000002
【特許請求の範囲】
【請求項１】
表シート（１）と裏シート（２）を重ね合わせ、その両シート（１）（２）の両側辺部（４）（４）をシールして下辺部（５）を開放し、該開放された下辺部（５）から食品を内部に収納した後、前記下辺部（５）が封緘されるようにしたサンドイッチ等の食品包装材において、 
前記裏シート（２）の内面には、破断用の内シート（Ｓ）が重ね合わされ、該内シート（Ｓ）と前記表シート（１）と裏シート（２）は、前記上辺部（３）の下方の位置に左右方向に設定される中間シール部（８）でヒートシールされると共に、前記裏シート（２）を前記内シート（Ｓ）と共に上下方向に切り裂くための起点となる開封端（７）が、前記中間シール部（８）よりも上方の部位に形成され、かつ、前記開封端（７）の両下端に対応する上開き状のノッチ（Ｎ）（Ｎ）が前記内シート（Ｓ）の前記中間シール部（８）以上の部位に切り込み形成されることを特徴とするサンドイッチ等の食品包装材。
【請求項２】
前記開封端（７）は、前記裏シート（２）を前記内シート（Ｓ）と共に半円弧状乃至は逆Ｕ字状に切り込んで形成されることを特徴とする請求項１に記載のサンドイッチ等の食品包装材。
【請求項３】
前記開封端（７）は、前記裏シート（２）と内シート（Ｓ）の上辺部（３）を切り込み形成した一対の切り込み（Ｋ）（Ｋ）の間に形成されることを特徴とする請求項１に記載のサンドイッチ等の食品包装材。
【請求項４】
前記内シート（Ｓ）は上下方向に延伸されたフィルムからなることを特徴とする請求項１乃至３の何れかに記載のサンドイッチ等の食品包装材。
【請求項５】
前記ノッチ（Ｎ）（Ｎ）の下端が、前記中間シール部（８）に近接した状態に臨むことを特徴とする請求項１乃至４の何れかに記載のサンドイッチ等の食品包装材。
【請求項６】
前記ノッチ（Ｎ）（Ｎ）の下端の一部が、前記中間シール部（８）の一部に進入していることを特徴とする請求項１乃至４の何れかに記載のサンドイッチ等の食品包装材。
【請求項７】
前記内シート（Ｓ）の上下方向の両側及び中央部には、前記裏シート（２）に対してヒートシールされるシールライン（Ｌ１）（Ｌ２）（Ｌ３）が形成され、該シールライン間（Ｌ１）（Ｌ２），（Ｌ２）（Ｌ３）の内シート（Ｓ）には、上下方向の分割予定線（Ｄ１）（Ｄ２）が形成され、該分割予定線（Ｄ１）（Ｄ２）の上端が、前記ノッチ（Ｎ）（Ｎ）の下端に対応することを特徴とする請求項１乃至６の何れかに記載のサンドイッチ等の食品包装材。
【請求項８】
前記ノッチ（Ｎ）（Ｎ）の下端が、前記分割予定線（Ｄ１）（Ｄ２）の上端に連続していることを特徴とする請求項７に記載のサンドイッチ等の食品包装材。
【請求項９】
前記ノッチ（Ｎ）（Ｎ）の下端に対応する前記内シート（Ｓ）の上下方向に分割予定線（Ｄ４）（Ｄ５）が形成され、該分割予定線（Ｄ４）（Ｄ５）よりも外側位置における裏シート（２）の上下方向に横ずれ防止線（Ｄ６）（Ｄ７）が形成され、隣り合う前記分割予定線（Ｄ４）と横ずれ防止線（Ｄ６）及び分割予定線（Ｄ５）と横ずれ防止線（Ｄ７）をそれぞれ含む上下方向のシールライン（Ｌ４）（Ｌ５）によって前記内シート（Ｓ）と裏シート（２）がヒートシールされることを特徴とする請求項１乃至６の何れかに記載のサンドイッチ等の食品包装材。
【請求項１０】
前記ノッチ（Ｎ）（Ｎ）の下端が、前記分割予定線（Ｄ４）（Ｄ５）の上端に連続していることを特徴とする請求項９に記載のサンドイッチ等の食品包装材。
【請求項１１】
前記内シート（Ｓ）に形成される分割予定線（Ｄ１）（Ｄ２）又は（Ｄ４）（Ｄ５）は、切断又は焼き切りであることを特徴とする請求項７乃至１０の何れかに記載のサンドイッチ等の食品包装材。
【請求項１２】
前記内シート（Ｓ）に形成される分割予定線（Ｄ１）（Ｄ２）（Ｄ４）（Ｄ５）又は前記裏シート（２）に形成される横ずれ防止線（Ｄ６）（Ｄ７）は、ハーフカットであることを特徴とする請求項７乃至１１の何れかに記載のサンドイッチ等の食品包装材。
【請求項１３】
前記内シート（Ｓ）に形成される分割予定線（Ｄ１）（Ｄ２）（Ｄ４）（Ｄ５）又は前記裏シート（２）に形成される横ずれ防止線（Ｄ６）（Ｄ７）は、ミシン目であることを特徴とする請求項７乃至１１の何れかに記載のサンドイッチ等の食品包装材。
【請求項１４】
前記内シート（Ｓ）に形成される分割予定線（Ｄ１）（Ｄ２）（Ｄ４）（Ｄ５）又は前記裏シート（２）に形成される横ずれ防止線（Ｄ６）（Ｄ７）は、ミシン目状の焼き切りであることを特徴とする請求項７乃至１１の何れかに記載のサンドイッチ等の食品包装材。
【発明の詳細な説明】
【技術分野】
【０００１】
本発明は、三角形状（直角三角形が多い）をなす食品類、例えば、サンドイッチ、調理パン、カステラ、菓子パン等を容易に取り出すことができるように包装するためのサンドイッチ等の食品包装材に関する。
【背景技術】
【０００２】
サンドイッチ等の食品包装袋は、例えば、図６に示すように、平面視略台形状をなす表シート１と裏シート２からなり、これらを重ね合わせてその斜辺部４をシール（溶断シール）し、下辺部５は、食品（図示省略）を内部に収納できるように開放状態とされ、かつ、その裏シート２の内側には、開封用のカットテープ６が貼着されている。その裏シート２は、ヘッド部９まで延びたカットテープ６の上端を囲むように、開封端７で半円弧状乃至は逆Ｕ字状等にカットされるため、その下方が中間シール部８によってシールされることで、下辺部５を封緘した際には、食品収納部が密封状態に保持されるように構成される（例えば、特許文献１〜３参照）。なお、上辺部３はシールされることもある。
【０００３】
このように構成される食品包装袋は、内部に食品を収納して下辺部５が封緘された状態でスーパーやコンビニ等に搬入され店頭に陳列される。そして、消費者によって購入された後、食品を食する際には、一方の手で表シート１側又は上辺部３あたりを持ち、他方の手で開封端７を持って下方に引っ張ることで、そのカットテープ６の両側に沿って引き裂き、裏シート２を左右に分割した状態に開封して、食品を取り出すことができる。
【０００４】
【特許文献１】実開平７−４３４９号公報
【特許文献２】登録実用新案第３０７２０２８号公報
【特許文献３】特開２００３−１６０１４２号公報
【発明の開示】
【発明が解決しようとする課題】
【０００５】
上述のような従来のサンドイッチ等の食品包装材では、開封時には、通常は、前述したように、開封端７からカットテープ６の両側に沿って裏シート２が引き裂かれるが、開封端７の引っ張り具合によっては、裏シート２の引き裂き方向が中間シール部８から横方向にずれ込み、カットテープ６から外れた方向に引き裂かれてしまうような事態が発生する。このような場合には、食品が型崩れしたり、食品を取り出せなくなったり、食品の一部を取り落して衣服を汚したりするようなトラブルが発生することが懸念される。
【０００６】
本発明は、このような実情に鑑みてなされ、常に良好な開封状態が得られる開封作業性のよいサンドイッチ等の食品包装材を提供することを目的とする。
【課題を解決するための手段】
【０００７】
（１）本発明のサンドイッチ等の食品包装材は、例えば図１（ａ）（ｂ）に示すように、表シート１と裏シート２を重ね合わせ、その両シート１，２の両側辺部４，４をシールして下辺部５を開放し、該開放された下辺部５から食品を内部に収納した後、前記下辺部５が封緘されるようにしたサンドイッチ等の食品包装材において、 
前記裏シート２の内面には、破断用の内シートＳが重ね合わされ、該内シートＳと前記表シート１と裏シート２は、前記上辺部３の下方の位置に左右方向に設定される中間シール部８でヒートシールされると共に、前記裏シート２を前記内シートＳと共に上下方向に切り裂くための起点となる開封端７が、前記中間シール部８よりも上方の部位に形成され、かつ、前記開封端７の両下端に対応する上開き状のノッチＮ，Ｎが前記内シートＳの前記中間シール部８以上の部位に切り込み形成されることを特徴とする。
【０００８】
このような構成によれば、開封端７の下端に対応する上開き状のノッチＮ，Ｎの上開き幅を充分に設定しておくことによって、開封時に、開封端７を引っ張ると、開封端７の下端から生じる亀裂を上開き状のノッチＮ，Ｎに確実に導入することができ、そのノッチＮ，Ｎに対応する箇所の中間シール部８を破断して、内シートＳと共に裏シート２を開封性よく破断することができる。また、製作誤差等によって、ノッチＮ，Ｎに対する開封端７の対応位置が多少ずれるようなことがあっても、開封端７の両下端から生じる亀裂を確実にノッチＮ，Ｎ内にそれぞれ導入することができ、常に良好な開封性を確保することができる。
【０００９】
（２）前記開封端７は、前記裏シート２を前記内シートＳと共に半円弧状乃至は逆Ｕ字状に切り込んで形成されてもよい。
【００１０】
（３）前記開封端７は、前記裏シート２と内シートＳの上辺部３を切り込み形成した一対の切り込みＫ，Ｋの間に形成されてもよい。
【００１１】
（４）前記内シートＳは上下方向に延伸されたフィルムからなるものであってもよい。このようにすれば、ノッチＮ，Ｎに対応する箇所で破断された中間シール部８から、内シートＳを下方に向けて容易に切り裂くことができ、開封性が向上する。
【００１２】
（５）前記ノッチＮ，Ｎの下端が、前記中間シール部８に近接した状態に臨むようにしてもよい。このようにすれば、ノッチＮ，Ｎの下端に近接する箇所の中間シール部８を確実に破断することができるため、中間シール部８の切断位置が（横方向に）ずれないようにすることができる。
【００１３】
（６）前記ノッチＮ，Ｎの下端の一部が、前記中間シール部８の一部に進入していてもよい。このようにすれば、中間シール部８に進入したノッチＮ，Ｎの下端から中間シール部８が確実に切断されるので、ノッチＮ，Ｎからの切断位置がずれるのをより効果的に防ぐことができる。
【００１４】
（７）前記内シートＳの上下方向の両側及び中央部には、例えば図４（ａ）（ｂ）に示すように、前記裏シート２に対してヒートシールされるシールラインＬ１，Ｌ２，Ｌ３が形成され、該シールラインＬ１，Ｌ２間及びＬ２，Ｌ３間の内シートＳには、上下方向の分割予定線Ｄ１，Ｄ２が形成され、該分割予定線Ｄ１，Ｄ２の上端が、前記ノッチＮ，Ｎの下端に対応するようにしてもよい。このようにすれば、シールラインＬ１，Ｌ２間、Ｌ２，Ｌ３間の上下方向の分割予定線Ｄ１，Ｄ２に沿って内シートＳと共に裏シート２を切り裂くことができるが、たとえ、ノッチＮ，Ｎからの切断位置が、分割予定線Ｄ１，Ｄ２から多少ずれたとしても、シールラインＬ１，Ｌ２間、Ｌ２，Ｌ３間内で内シートＳと裏シート２を切り裂くことができ（亀裂をシールラインＬ１とＬ３の間に納めることができ）、亀裂のずれ込みを防止することができる。
【００１５】
（８）前記ノッチＮ，Ｎの下端が、前記分割予定線Ｄ１，Ｄ２の上端に連続していてもよい。このようにすれば、ノッチＮ，Ｎの形成と分割予定線Ｄ１，Ｄ２の形成を一工程で行うことができるため、製作工程を簡略化することができる。また、ノッチＮ，Ｎの下端から分割予定線Ｄ１，Ｄ２に連続的に亀裂を伝達することができるため、開封性がさらに向上する。
【００１６】
（９）例えば図５（ａ）（ｂ）に示すように、前記ノッチＮ，Ｎの下端に対応する前記内シートＳの上下方向に分割予定線Ｄ４，Ｄ５が形成され、該分割予定線Ｄ４，Ｄ５よりも外側位置における裏シート２の上下方向に横ずれ防止線Ｄ６，Ｄ７が形成され、隣り合う前記分割予定線Ｄ４と横ずれ防止線Ｄ６及び分割予定線Ｄ５と横ずれ防止線Ｄ７をそれぞれ含む上下方向のシールラインＬ４，Ｌ５によって前記内シートＳと裏シート２がヒートシールされるようにしてもよい。このようにすれば、シールラインＬ４，Ｌ５によって、内シートＳと裏シート２にそれぞれ形成される分割予定線Ｄ４と横ずれ防止線Ｄ６及び分割予定線Ｄ５と横ずれ防止線Ｄ７がそれぞれシールされ、食品包装材のシール性が確保される。そして、開封時には、ノッチＮ，Ｎからの亀裂が分割予定線Ｄ４，Ｄ５からずれるようなことがあっても横ずれ防止線Ｄ６，Ｄ７よりも外側にずれるのが防止される（亀裂が横ずれ防止線Ｄ６，Ｄ７よりも内側に納まる）ため、体裁よく開封することができる。
【００１７】
（１０）前記ノッチＮ，Ｎの下端が、前記分割予定線Ｄ４，Ｄ５の上端に連続していてもよい。このようにすれば、ノッチＮ，Ｎの形成と分割予定線Ｄ４，Ｄ５の形成を一工程で行うことができるため、製作工程を簡略化することができる。また、ノッチＮ，Ｎの下端から分割予定線Ｄ４，Ｄ５に連続的に亀裂を伝達することができるため、開封性がさらに向上する。
【００１８】
（１１）前記内シートＳに形成される分割予定線Ｄ１，Ｄ２又はＤ４，Ｄ５は、切断又は焼き切りであってもよい。このように、予め分割予定線Ｄ１，Ｄ２又はＤ４，Ｄ５を全通状態に切り通しておけば、開封時に、より確実に分割予定線Ｄ１，Ｄ２又はＤ４，Ｄ５で分割することができ、開封性が向上する。
【００１９】
（１２）前記内シートＳに形成される分割予定線Ｄ１，Ｄ２，Ｄ４，Ｄ５又は前記裏シート２に形成される横ずれ防止線Ｄ６，Ｄ７は、ハーフカットであってもよい。
【００２０】
（１３）前記内シートＳに形成される分割予定線Ｄ１，Ｄ２，Ｄ４，Ｄ５又は前記裏シート２に形成される横ずれ防止線Ｄ６，Ｄ７は、ミシン目であってもよい。
【００２１】
（１４）前記内シートＳに形成される分割予定線Ｄ１，Ｄ２，Ｄ４，Ｄ５又は前記裏シート２に形成される横ずれ防止線Ｄ６，Ｄ７は、ミシン目状の焼き切りであってもよい。
【発明の効果】
【００２２】
本発明のサンドイッチ等の食品包装材は、半円弧状乃至は略逆Ｕ字状の開封端の下端に対応する上開き状のノッチの上開き幅を充分に設定しておくことによって、開封時に、開封端を引っ張ると、開封端の下端から生じる亀裂をノッチに確実に導入することができ、そのノッチに対応する箇所の中間シール部を破断して、内シートと共に裏シートを開封性よく破断することができる。また、製作誤差等によって、ノッチに対する開封端の対応位置が多少ずれるようなことがあっても、内開封端の両下端から生じる亀裂を確実にノッチ内にそれぞれ導入することができ、常に良好な開封性を確保することができる。
【発明を実施するための最良の形態】
【００２３】
以下に、本発明の最良の実施の形態に係るサンドイッチ等の食品包装材について図面を参照しつつ詳細に説明する。
【００２４】
〔実施の形態１〕
図１（ａ）はサンドイッチ等の食品包装材の背面図、（ｂ）はその断面図、図２（ａ）は前方側から見た食品袋の斜視図、（ｂ）は背面側から見た食品袋の斜視図である。これらの図に示すように、この食品包装材は、表シート１と裏シート２を重ね合わせ、その両シート１，２の上辺部３及び両側辺部４，４をヒートシール（例えば溶断シール）によってシールして下辺部５を開放し、該開放された下辺部５からサンドイッチ等の食品（図示省略）を内部に収納した後、下辺部５を封緘するようにしたものである。なお、上辺部３はヒートシールされる場合とされない場合がある。
【００２５】
裏シート２の内面には、上下方向に延伸されたフィルムからなる破断用の内シートＳが重ね合わされ、その内シートＳと表シート１と裏シート２は、上辺部３の下方の位置に左右方向に設定される中間シール部８でヒートシールされると共に、裏シート２を内シートＳと共に上下方向に切り裂くための起点となる開封端７が、中間シール部８と上辺部３の間のヘッド部９に略逆Ｕ字状（又は半円弧状）等に切り込み形成されており、かつ、その開封端７の両下端に対応する上開き状（例えば略Ｖ字状又は略Ｕ字状）のノッチＮ，Ｎが内シートＳの中間シール部８に近接する部位に切り込み形成されている。そして、内シートＳの上下方向の両側及び中央部には、前記裏シート２に対してヒートシールされる３本のシールラインＬ１，Ｌ２，Ｌ３が内シートＳの上下両端に至るまで形成され、上述のノッチＮ，Ｎの下端が、シールラインＬ１，Ｌ２間及びＬ２，Ｌ３間に対応している。
【００２６】
このような構成によれば、半円弧状乃至は略逆Ｕ字状の開封端７の下端に対応する上開き状のノッチＮ，Ｎの上開き幅を充分に設定しておくことによって、開封時に開封端７を引っ張ると、その下端から生じる亀裂を上開き状のノッチＮ，Ｎに確実に導入することができるため、そのノッチＮ，Ｎに対応する箇所の中間シール部８を破断してシールラインＬ１，Ｌ２間とＬ２，Ｌ３間で、上下方向に延伸されたフィルムからなる内シートＳと共に裏シート２を開封性よく確実に破断することができる。そのノッチＮ，Ｎの上開き幅については、開封端７の製作誤差による位置ずれ等を勘案して充分な幅に設定するのが好ましい。また、このようなシールラインＬ１，Ｌ２，Ｌ３を形成することによって、食品袋の背面側の保形剛性が向上するため、食品袋が型崩れしにくくなる。また、内シートＳを中間シール部８よりも上方の開封端７まで延長しているため、ヘッド９の保形剛性が向上しその部分が撓みにくくなる。なお、ノッチＮ，Ｎの下端が、前記中間シール部８に近接した状態に臨むようにしてもよく、下端の一部が、中間シール部８の一部に進入していてもよい。
【００２７】
図３（ａ）（ｂ）は開封時の開口幅を広くしてサンドイッチ等の食品を取り出しやすくした例を示し、図３（ａ）では、中間シール部８のシールラインＬ１，Ｌ３間の上縁部（上半部）をギザギザ状に形成すると共に、シールラインＬ２を幅広に形成し、かつ、そのシールラインＬ２を跨ぐように、開封端７も幅広に形成し、その両端下端を、中間シール部８のギザギザ状の部分の最外側に対応させて形成した上開き状のノッチＮ，Ｎに臨ませている。このような構成によれば、開封時には、幅広に形成したシールラインＬ２を含めて、広い開口幅を確保できるため、食品を取り出しやすくなる。また、中間シール部８の上縁部がギザギザ状に形成されているため、シールラインＬ２を幅広に形成しても容易に破断することができ、開封性が良好となる。なお、上辺部３はヒートシールされてもよく、されなくてもよい。
【００２８】
図３（ｂ）では、上辺部３をヒートシールすることなく、内シートＳと裏シート２のシールラインＬ２を跨ぐ位置に、一対の切り込みＫ，Ｋを形成し、その切り込みＫ，Ｋ間に開封端７を形成し、その下端を、中間シール部８のギザギザ状の部分の最外側に対応させて形成した上開き状のノッチＮ，Ｎに臨ませている。このように構成しても、開封時には、幅広に形成したシールラインＬ２を含めた広い開口幅を確保できるため、食品を取り出しやすくなる。また、中間シール部８の上縁部がギザギザ状に形成されているため、シールラインＬ２を幅広に形成しても容易に破断することができ、開封性が良好となる。
【００２９】
〔実施の形態２〕
図４（ａ）は食品包装材の背面図、（ｂ）はその断面図で、これらの図に示すように、この食品包装材は、内シートＳの上下方向の両側及び中央部には、裏シート２に対してヒートシールされるシールラインＬ１，Ｌ２，Ｌ３が形成され、該シールラインＬ１，Ｌ２間及びＬ２，Ｌ３間の内シートＳには、上下方向の分割予定線Ｄ１，Ｄ２が形成され、該分割予定線Ｄ１，Ｄ２の上端がノッチＮ，Ｎの下端に対応している。なお、ノッチＮ，Ｎの下端を分割予定線Ｄ１，Ｄ２の上端と連続させて同一工程で一体的に形成すれば開封性をより一層向上することができる。
【００３０】
その分割予定線Ｄ１，Ｄ２は、切断工具による切断や加熱工具による焼き切りによって全通状態に切り通すのが好ましい。このようにすれば、開封時に、より確実に分割予定線Ｄ１，Ｄ２で分割することができ、開封性が向上する。また、ミシン目やハーフカット、ミシン目状の焼き切り等により断続的に切断してもよい。そして、この実施の形態では、内シートＳの上端と下端が折り返されており、これにより、上述のように分割予定線Ｄ１，Ｄ２を形成しても、製作工程において内シートＳの端縁が捲くれにくくなり作業性が向上する。なお、このように内シートＳに上下方向の分割予定線Ｄ１，Ｄ２を形成する場合には、内シートＳの素材は二軸延伸フィルムであってもよい。
【００３１】
このような構成によれば、シールラインＬ１，Ｌ２間、Ｌ２，Ｌ３間の上下方向の分割予定線Ｄ１，Ｄ２に沿って内シートＳと共に裏シート２を切り裂くことができるが、たとえ中間シール部８の切断位置が、分割予定線Ｄ１，Ｄ２から（横方向に）多少ずれたとしても、シールラインＬ１，Ｌ２間及びＬ２，Ｌ３間で内シートＳと裏シート２を切り裂くことができるため、切り裂き方向の横ずれを防止することができる。なお、この場合にも、食品袋の背面側の保形剛性が向上するため、食品袋が型崩れしにくくなる。また、中間シール部８よりも上方の開封端７まで延長した内シートＳの上端と下端が折り返されているため、ヘッド部９の保形剛性が向上しその部分が撓みにくくなり起立状態が保持されるため見映えが向上する。
【００３２】
〔実施の形態３〕
図５（ａ）は食品包装材の背面図、（ｂ）はその断面図、図６（ａ）は前方側から見た食品袋の斜視図、（ｂ）は背面側から見た食品袋の斜視図である。これらの図に示すように、この食品包装材は、ノッチＮ，Ｎの下端に対応する内シートＳの上下方向に分割予定線Ｄ４，Ｄ５が形成され、該分割予定線Ｄ４，Ｄ５よりも外側の裏シート２の上下方向に横ずれ防止線Ｄ６，Ｄ７が形成され、これら隣り合う分割予定線Ｄ４と横ずれ防止線Ｄ６及び分割予定線Ｄ５と横ずれ防止線Ｄ７をそれぞれ含む上下方向のシールラインＬ４，Ｌ５によって前記内シートＳと裏シート２がヒートシールされる。なお、この場合においても、ノッチＮ，Ｎの下端を分割予定線Ｄ４，Ｄ５の上端と連続させて同一工程で一体的に形成してもよい。また、分割予定線Ｄ４，Ｄ５は、前実施の形態と同様に、切断工具による切断や加熱工具による焼き切りによって全通状態に切り通してもよく、また、ミシン目やハーフカット、ミシン目状の焼き切り等により断続的に切断してもよい。
【００３３】
このような構成によれば、シールラインＬ４，Ｌ５によって、内シートＳと裏シート２にそれぞれ形成されるミシン目やミシン目状の焼き切り等の分割予定線Ｄ４と横ずれ防止線Ｄ６及び分割予定線Ｄ５と横ずれ防止線Ｄ７がシールされる。そして、開封時には、ノッチＮ，Ｎからの亀裂が分割予定線Ｄ４，Ｄ５から横に多少ずれるようなことがあっても横ずれ防止線Ｄ６，Ｄ７よりも外側にずれるのが防止される（開封時の亀裂が横ずれ防止線Ｄ６，Ｄ７よりも内側に納まる）ため、体裁よく開封することができる。また、本実施の形態においても、中間シール部８よりも上方の開封端７まで延長した内シートＳの上端と下端が折り返されているため、ヘッド部９の保形剛性が向上しその部分が撓みにくくなり起立状態が保持され見映えが向上する。なお、分割予定線Ｄ４，Ｄ５及び横ずれ防止線Ｄ６，Ｄ７はハーフカットであってもよい。
【００３４】
なお、本発明のサンドイッチ等の食品包装材は、実施の形態に限定されることなく、発明の要旨を逸脱しない限りにおいて、適宜必要に応じて、設計変更や改良等は自由であり、各実施の形態間での構成の組み合わせも自由である。例えば、内シートＳに形成されるノッチＮ，Ｎは、上開き状であればよく形状の如何は問わない。また、表シート１と裏シート２は、単一のシート材で形成されてもよく、複数のシート材を繋ぎ合わせてもよく貼り合わせてもよい。また、シールラインＬ１，Ｌ２，Ｌ３は必ずしも必須ではなく、例えば内シートＳに分割予定線Ｄ１，Ｄ２を形成する場合等には省略してもよい。また、シールラインＬ１，Ｌ２，Ｌ３は、必ずしも内シートＳの上下両端まで延びている必要はなく上下両端の近くまで延びていればよい。
【００３５】
また、中間シール部８の上縁部は、図３（ａ）（ｂ）に示すギザギザ状に代えて凹凸状や波形状等に形成されてもよい。開封端７を切り込みＫ，Ｋの間に形成する構成は、全ての実施の形態に適用できるが、その場合、表シート１と裏シート２の上辺部３はヒートシールすることなく、裏シート２と内シートＳにのみ切り込みＫ，Ｋを形成すればよい。また、本発明は、食品包装材の製造方法を特定するものではなく、結果として得られる食品包装材が実施の形態等に記載されたように構成されればよい。また、内部に収納する食品は、サンドイッチに限らず、調理パン、カステラ、菓子パン等のその他の食品であってもよい。
【図面の簡単な説明】
【００３６】
【図１】（ａ）は本発明の実施の形態１に係るサンドイッチ等の食品包装材の背面図、（ｂ）はその断面図である。
【図２】（ａ）は同前方側から見た食品袋の斜視図、（ｂ）は同背面側から見た食品袋の斜視図である。
【図３】（ａ）は同異なるサンドイッチ等の食品包装材の背面図、（ｂ）は同別のサンドイッチ等の食品包装材の背面図である。
【図４】（ａ）は本発明の実施の形態２に係るサンドイッチ等の食品包装材の背面図、（ｂ）はその断面図である。
【図５】（ａ）は本発明の実施の形態３に係るサンドイッチ等の食品包装材の背面図、（ｂ）はその断面図である。
【図６】（ａ）は同前方側から見た食品袋の斜視図、（ｂ）は同背面側から見た食品袋の斜視図である。
【図７】従来の食品包装袋の平面図である。
【符号の説明】
【００３７】
１…表シート、２…裏シート、３…上辺部、４…側辺部、５…下辺部、Ｓ…内シート、７…開封端、８…中間シール部８、Ｎ…ノッチ、Ｌ１，Ｌ２，Ｌ３，Ｌ４，Ｌ５…シールライン、Ｄ１，Ｄ２，Ｄ４，Ｄ５…分割予定線、Ｄ６，Ｄ７…横ずれ防止線
【図１】
2008100716.tif 000003
【図２】
2008100716.tif 000004
【図３】
2008100716.tif 000005
【図４】
2008100716.tif 000006
【図５】
2008100716.tif 000007
【図６】
2008100716.tif 000008
【図７】
2008100716.tif 000009